(57)【要約】【課題】リボンカートリッジを使用した画像形成方法及びその装置を提供する。【解決手段】リボンカートリッジに備えられたオーバーコーティングリボンの種類を選択できるユーザインタフェースの画面をディスプレイするステップと、リボンカートリッジに備えられた各色のリボンを使用して、画像を印刷用紙に印刷するステッフと、選択されたオーバーコーティングリボンを使用して、印刷の行われた印刷用紙をオーバーコーティングするステップと、を含むことを特徴とするリボンカートリッジを使用した画像形成方法である。これにより、フォトプリンタのオーバーコーティングのためのリボンを多様化することによって、従来のカラーが再現できない多様なフォトイメージを表現できる。【選択図】図１
2007083724.tif 000002
【特許請求の範囲】
【請求項１】
（ａ）リボンカートリッジに備えられたオーバーコーティングリボンの種類を選択できるユーザインタフェースの画面をディスプレイするステップと、
（ｂ）前記リボンカートリッジに備えられた各色のリボンを使用して、画像を印刷用紙に印刷するステップと、
（ｃ）選択されたオーバーコーティングリボンを使用して、前記印刷の行われた印刷用紙をオーバーコーティングするステップと、
を含むことを特徴とする、リボンカートリッジを使用した画像形成方法。
【請求項２】
前記リボンカートリッジは、一般のオーバーコーティングリボン以外に特殊オーバーコーティングリボンを備えることを特徴とする、請求項１に記載のリボンカートリッジを使用した画像形成方法。
【請求項３】
前記特殊オーバーコーティングリボンとして、無光沢のリボン及び多様な形状が表示されたリボンのうち、何れか一つ以上を備えることを特徴とする、請求項２に記載のリボンカートリッジを使用した画像形成方法。
【請求項４】
前記（ｂ）ステップは、
（ｂ１）前記各色のリボンのうち、イエローリボンを使用して、前記画像を前記印刷用紙に印刷するステップと、
（ｂ２）前記各色のリボンのうち、マゼンタリボンを使用して、前記画像を前記印刷用紙に印刷するステップと、
（ｂ３）前記各色のリボンのうち、シアンリボンを使用して、前記画像を前記印刷用紙に印刷するステップと、
を含むことを特徴とする、請求項１に記載のリボンカートリッジを使用した画像形成方法。
【請求項５】
請求項１に記載の方法を実行するためのプログラムを記録したコンピュータで読み取り可能な記録媒体。
【請求項６】
（ａ）リボンカートリッジに備えられた各色のリボンを使用して、画像を印刷用紙に印刷するステップと、
（ｂ）前記リボンカートリッジに備えられた特殊オーバーコーティングリボンを使用して、前記印刷の行われた印刷用紙をオーバーコーティングするステップと、
を含むことを特徴とするリボンカートリッジを使用した画像形成方法。
【請求項７】
前記特殊オーバーコーティングリボンとして、無光沢のリボン及び多様な形状が表示されたリボンのうち、何れか一つ以上を備えることを特徴とする、請求項６に記載のリボンカートリッジを使用した画像形成方法。
【請求項８】
前記（ａ）ステップは、
（ａ１）前記各色のリボンのうち、イエローリボンを使用して、前記画像を前記印刷用紙に印刷するステップと、
（ａ２）前記各色のリボンのうち、マゼンタリボンを使用して、前記画像を前記印刷用紙に印刷するステップと、
（ａ３）前記各色のリボンのうち、シアンリボンを使用して、前記画像を前記印刷用紙に印刷するステップと、
を含むことを特徴とする、請求項６に記載のリボンカートリッジを使用した画像形成方法。
【請求項９】
請求項６に記載の方法を実行するためのプログラムを記録したコンピュータで読み取り可能な記録媒体。
【請求項１０】
リボンカートリッジに備えられた特殊のオーバーコーティングリボンを使用して、以前に印刷が行われた印刷用紙を再度オーバーコーティングするステップを含むことを特徴とするリボンカートリッジを使用した画像形成方法。
【請求項１１】
前記特殊オーバーコーティングリボンとして、無光沢のリボン及び多様な形状が表示されたリボンのうち、何れか一つ以上を備えることを特徴とする、請求項１０に記載のリボンカートリッジを使用した画像形成方法。
【請求項１２】
請求項１０に記載の方法を実行するためのプログラムを記録したコンピュータで読み取り可能な記録媒体。
【請求項１３】
リボンカートリッジに備えられたオーバーコーティングリボンの種類を選択できるユーザインタフェースの画面をディスプレイするユーザインタフェース部と、
前記リボンカートリッジに備えられた各色のリボンを使用して、画像を印刷用紙に印刷し、前記印刷の行われた印刷用紙を、選択されたオーバーコーティングリボンを使用してオーバーコーティングする印刷部と、
を備えることを特徴とする、リボンカートリッジを使用した画像形成装置。
【請求項１４】
前記リボンカートリッジは、一般のオーバーコーティングリボン以外に特殊オーバーコーティングリボンを備えることを特徴とする、請求項１３に記載のリボンカートリッジを使用した画像形成装置。
【請求項１５】
前記特殊のオーバーコーティンダリボンとして、無光沢のリボン及び多様な形状が表示されたリボンのうち、何れか一つ以上を備えることを特徴とする、請求項１４に記載のリボンカートリッジを使用した画像形成装置。
【請求項１６】
前記印刷部は、前記各色のリボンのうち、イエローリボンを使用して、前記画像を前記印刷用紙に印刷し、前記各色のリボンのうち、マゼンタリボンを使用して、前記画像を前記印刷用紙に印刷し、前記各色のリボンのうち、シアンリボンを使用して、前記画像を前記印刷用紙に印刷することを特徴とする、請求項１３に記載のリボンカートリッジを使用した画像形成装置。
【請求項１７】
リボンカートリッジに備えられた各色のリボンを使用して、画像を印刷用紙に印刷し、前記リボンカートリッジに備えられた特殊オーバーコーティングリボンを使用して、前記印刷の行われた印刷用紙をオーバーコーティングする印刷部を備えることを特徴とする、リボンカートリッジを使用した画像形成装置。
【請求項１８】
前記特殊のオーバーコーティンダリボンとして、無光沢のリボン及び多様な形状が表示されたリボンのうち、何れか一つ以上を備えることを特徴とする、請求項１７に記載のリボンカートリッジを使用した画像形成装置。
【請求項１９】
前記印刷部は、前記各色のリボンのうち、イエローリボンを使用して、前記画像を前記印刷用紙に印刷し、前記各色のリボンのうち、マゼンタリボンを使用して、前記画像を前記印刷用紙に印刷し、前記各色のリボンのうち、シアンリボンを使用して、前記画像を前記印刷用紙に印刷することを特徴とする、請求項１７に記載のリボンカートリッジを使用した画像形成装置。
【請求項２０】
リボンカートリッジに備えられた特殊オーバーコーティングリボンを使用して、以前に印刷が行われた印刷用紙を再度オーバーコーティングする印刷部を備えることを特徴とする、リボンカートリッジを使用した画像形成装置。
【請求項２１】
前記特殊オーバーコーティングリボンとして、無光沢のリボン及び多様な形状が表示されたリボンのうち、何れか一つ以上を備えることを特徴とする、請求項２０に記載のリボンカートリッジを使用した画像形成装置。
【請求項２２】
印刷用紙に印刷される所定のイメージを備えるオーバーコーディングリボンを備えることを特徴とする、画像形成装置に使用されるカートリッジ。
【請求項２３】
前記オーバーコーティングリボンは、特殊オーバーコーティングリボンを備えることを特徴とする、請求項２２に記載の画像形成装置に使用されるカートリッジ。
【請求項２４】
前記特殊オーバーコーティングリボンは、星状を有するパターン、金箔パターン及び銀箔パターンのうち、何れか一つであることを特徴とする、請求項２３に記載の画像形成装置に使用されるカートリッジ。
【請求項２５】
前記オーバーコーティングリボンは、無光沢のリボンを備えることを特徴とする、請求項２２に記載の画像形成装置に使用されるカートリッジ。
【請求項２６】
前記印刷用紙にイメージを形成するための少なくとも一つ以上のカラーリボンをさらに備えることを特徴とする、請求項２２に記載の画像形成装置に使用されるカートリッジ。
【発明の詳細な説明】
【技術分野】
【０００１】
本発明は、染料昇華（Ｄｙｅ Ｄｉｆｆｕｓｉｏｎ Ｔｈｅｒｍａｌ Ｔｒａｎｓｆｅｒ：Ｄ２Ｔ２）方式のフォトプリンタに係り、特に、印刷用紙のオーバーコーティングを多様化したリボンカートリッジを使用した画像形成方法、記録媒体、リボンカートリッジを使用した画像形成装置、及び画像形成装置に使用されるカートリッジに関する。
【背景技術】
【０００２】
Ｄ２Ｔ２方式のフォトプリンタとは、ＴＰＨ（Ｔｈｅｒｍａｌ Ｐｒｉｎｔ Ｈｅａｄ）が熱を転写して、印刷用紙に画像を形成させる方式で印刷動作を行うプリンタを言う。印刷用紙上にリボンカートリッジの各色に該当するリボンが位置し、ＴＰＨが各色のリボンを加熱して、染料を印刷用紙に付着させることによって画像が形成される。
【０００３】
ところが、既存のフォトプリンタに装着されるリボンカートリッジのオーバーコーティングリボンは、透明な無色及び無形のリボンであった。したがって、ユーザが、印刷用紙に所望の多様な印刷効果を表現するには限界があった。
【０００４】
【特許文献１】特開平１１−３１４４４５号公報
【発明の開示】
【発明が解決しようとする課題】
【０００５】
本発明が解決しようとする技術的課題は、多様なオーバーコーティングリボンを使用して印刷用紙をオーバーコーティングする、リボンカートリッジを使用した画像形成方法及びその装置を提供するところにある。
【課題を解決するための手段】
【０００６】
前記課題を解決するために、本発明によるリボンカートリッジを使用した画像形成方法は、リボンカートリッジに備えられたオーバーコーティングリボンの種類を選択できるユーザインタフェースの画面をディスプレイするステップと、リボンカートリッジに備えられた各色のリボンを使用して、画像を印刷用紙に印刷するステップと、選択されたオーバーコーティングリボンを使用して、印刷が行われた印刷用紙をオーバーコーティングするステップと、を含むことを特徴とする。
【０００７】
前記課題を解決するために、本発明によるリボンカートリッジを使用した画像形成方法は、リボンカートリッジに備えられた各色のリボンを使用して、画像を印刷用紙に印刷するステップと、リボンカートリッジに備えられた特殊オーバーコーティングリボンを使用して、印刷が行われた印刷用紙をオーバーコーティングするステップと、を含むことを特徴とする。
【０００８】
前記課題を解決するために、本発明によるリボンカートリッジを使用した画像形成方法は、リボンカートリッジに備えられた特殊オーバーコーティングリボンを使用して、以前に印刷が行われた印刷用紙を再度オーバーコーティングするステップを含むことを特徴とする。
【０００９】
前記課題を解決するために、本発明によるリボンカートリッジを使用した画像形成装置は、リボンカートリッジに備えられたオーバーコーティングリボンの種類を選択できるユーザインタフェースの画面をディスプレイするユーザインタフェース部と、リボンカートリッジに備えられた各色のリボンを使用して、画像を印刷用紙に印刷し、印刷が行われた印刷用紙を、選択されたオーバーコーティングリボンを使用してオーバーコーティングする印刷部と、を備えることを特徴とする。
【００１０】
前記課題を解決するために、本発明によるリボンカートリッジを使用した画像形成装置は、リボンカートリッジに備えられた各色のリボンを使用して、画像を印刷用紙に印刷し、リボンカートリッジに備えられた特殊オーバーコーティングリボンを使用して、印刷が行われた印刷用紙をオーバーコーティングする印刷部を備えることを特徴とする。
【００１１】
前記課題を解決するために、本発明によるリボンカートリッジを使用した画像形成装置は、リボンカートリッジに備えられた特殊オーバーコーティングリボンを使用して、以前に印刷が行われた印刷用紙を再度オーバーコーティングする印刷部を備えることを特徴とする。
【発明の効果】
【００１２】
本発明によるリボンカートリッジを使用した画像形成方法及び装置は、フォトプリンタのオーバーコーティングのためのリボンを多様化することによって、従来のカラーが再現できない多様なフォトイメージ（例えば、金箔または銀箔のイメージ、無光沢のイメージなど）を表現できる。
【発明を実施するための最良の形態】
【００１３】
以下、添付された図面を参照して、本発明によるリボンカートリッジを使用した画像形成方法を詳細に説明する。
【００１４】
図１は、本発明によるリボンカートリッジを使用した画像形成方法を説明するための一実施例を示すフローチャートである。
【００１５】
まず、リボンカートリッジに備えられたオーバーコーティングリボンの種類を選択できるユーザインタフェースの画面をディスプレイする（ステップ１００）。
【００１６】
図２は、図１に示すリボンカートリッジを使用した画像形成方法を説明するためのリボンの一例を示す図面である。
【００１７】
図２に示すように、リボンカートリッジ２０が、一般のオーパーコーティングリボン２１以外に、特殊オーバーコーティングリボン２２を備えることを特徴とする。一般のオーバーコーティングリボンは、従来に使用された無色の透明なオーバーコーティングリボンを言う。特殊オーバーコーティングリボンは、印刷用紙に多様な画像を表現するためのオーバーコーティングリボンである。例えば、特殊オーバーコーティングリボンは、無光沢のリボンまたは多様な形状が表示されたリボンがその例になる。
【００１８】
ユーザインタフェースの画面は、フォトプリンタのディスプレイ画面にディスプレイされてもよく、フォトプリンタと連結されたホストコンピュータにディスプレイされてもよい。ユーザは、ディスプレイされたユーザインタフェースの画面を通じて、自身の所望するオーバーコーティングリボンを選択できる。
【００１９】
ステップ１００後に、リボンカートリッジに備えられた各色のリボンを使用して、画像を印刷用紙に印刷する（ステップ１０２）。
【００２０】
図３は、図１に示すステップ１０２を説明するための一実施例を示すフローチャートである。
【００２１】
まず、各色のリボンのうち、イエローリボンを使用して、画像を印刷用紙に印刷する（ステップ２００）。例えば、図２に示すリボンのうち、イエローリボン２３を使用して、イエロー画像を印刷用紙に印刷する。色リボンを使用して、画像を印刷用紙に印刷する過程は、従来の技術に該当するので、以下ではその詳細な説明を省略する。
【００２２】
ステップ２００後に、各色のリボンのうち、マゼンタリボン２５を使用して、画像を印刷用紙に印刷する（ステップ２０２）。例えば、図２に示すリボンのうち、マゼンタリボンを使用して、マゼンタ画像を、既にイエロー画像の印刷された印刷用紙に印刷する。
【００２３】
ステップ２０２後に、各色のリボンのうち、シアンリボン２７を使用して、画像を印刷用紙に印刷する（ステップ２０４）。例えば、図２に示すリボンのうち、シアンリボンを使用して、シアン画像を、既にイエロー画像及びマゼンタ画像の印刷された印刷用紙に印刷する。
【００２４】
ステップ１０２後に、選択されたオーバーコーティングリボンを使用して、印刷の行われた印刷用紙をオーバーコーティングする（ステップ１０４）。ステップ１００で、ユーザインタフェースの画面を通じて、ユーザが選択したオーバーコーティングリボンを、印刷の行われた印刷用紙にオーバーコーティングする。例えば、ユーザが、図２に示す特殊オーバーコーティングリボン２２を選択したならば、ステップ１０２で、画像印刷の行われた印刷用紙を、選択された特殊のオーパーコーティングリボン２２を使用してオーバーコーティングする。特殊オーバーコーティングリボン２２によリオーバーコーティングされた印刷用紙が出力されることによって、画像に、ユーザの所望する多様な形状（例えば、星状）が付加された出力物を得ることができる。
【００２５】
図４は、本発明によるリボンカートリッジを使用した画像形成方法を説明するためのさらに他の一実施例を示すフローチャートである。
【００２６】
リボンカートリッジに備えられた各色のリボンを使用して、画像を印刷用紙に印刷する（ステップ３００）。
【００２７】
図５Ａ及び図５Ｂは、図４に示すリボンカートリッジを使用した画像形成方法を説明するためのリボンの一例を示す図面である。
【００２８】
図６は、図４に示すステップ３００を説明するための一実施例を示すフローチャートである。
【００２９】
まず、各色のリボンのうち、イエローリボン５３を使用して、画像を印刷用紙に印刷する（ステップ４００）。例えば、図５Ａまたは図５Ｂに示すリボンのうち、イエローリボンを使用して、イエロー画像を印刷用紙に印刷する。
【００３０】
ステップ４００後に、各色のリボンのうち、マゼンタリボン５５を使用して、画像を印刷用紙に印刷する（ステップ４０２）。例えば、図５Ａまたは図５Ｂに示すリボンのうち、マゼンタリボン５５を使用して、既にイエロー画像が印刷された印刷用紙にマゼンタ画像を印刷する。
【００３１】
ステップ４０２後に、各色のリボンのうち、シアンリボン５７を使用して、画像を印刷用紙に印刷する（ステップ４０４）。例えば、図５Ａまたは図５Ｂに示すリボンのうち、シアンリボン５７を使用して、既にイエロー画像及びマゼンタ画像の印刷された印刷用紙にシアン画像を印刷する。
【００３２】
ステップ３００後に、リボンカートリッジに備えられた特殊オーバーコーティングリボン５７を使用して、印刷の行われた印刷用紙をオーバーコーティングする（ステップ３０２）。特殊オーバーコーティングリボン５２は、印刷用紙に多様な画像を表現するためのオーバーコーティングリボンである。特に、特殊オーバーコーティングリボンは、無光沢のリボン及び多様な形状が表示されたリボンのうち、何れか一つ以上を備えることを特徴とする。
【００３３】
図５Ａ及び図５Ｂに示すように、リボンカートリッジ５０は、一般のオーバーコーティングリボン５２ではない特殊オーバーコーティングリボン５１を備えることを特徴とする。特殊オーバーコーティングリボン５１は、透明なオーバーコーティングリボンに特別な形状が付加されたリボンである。特殊オーバーコーティングリボン５１は、無光沢のオーバーコーティングリボンである。
【００３４】
ステップ３００で画像印刷の行われた印刷用紙を、図５Ｂの特殊オーバーコーティングリボン５１を使用してオーバーコーティングする。特殊オーバーコーティングリボンによリオーバーコーティングされた印刷用紙が出力されることによって、画像にユーザの所望する多様な形状が付加された出力物を得ることができる。
【００３５】
図７は、本発明によるリボンカートリッジを使用した画像形成方法を説明するためのさらに他の一実施例を示すフローチャートである。
【００３６】
リボンカートリッジに備えられた特殊オーバーコーティングリボンを使用して、以前に印刷の行われた印刷用紙を再度オーバーコーティングする（ステップ５００）。
【００３７】
以前に既にオーバーコーティングされて出力された印刷用紙に対して、特殊オーバーコーティングリボンを使用して再度オーバーコーティングすることによって、多様なイメージが付加された出力物を得ることができる。このために使用される特殊オーバーコーティングリボンとして、無光沢のリボン及び多様な形状が表示されたリボンのうち、何れか一つ以上を備えるリボンを使用することを特徴とする。
【００３８】
図８Ａ及び図８Ｂは、図７に示すリボンカートリッジを使用した画像形成方法を説明するためのリボンの一例を示す図面である。図８Ａは、星状の特殊オーバーコーティングリボン８２であり、図８Ｂは、無光沢の特殊オーバーコーティングリボン８１である。図８Ａ及び図８Ｂに示すように、図７の方法を行うためのリボンカートリッジ８０は、色リボンは備えず、特殊オーバーコーティングリボンのみを備えている。このようなリボンは、既に画像を形成して出力された出力物にオーバーコーティングのみを行うためのリボンである。
【００３９】
ユーザは、既に印刷が行われた出力物を再びフォトプリンタに挿入し、前述の図８Ａ及び図８Ｂのような特殊オーバーコーティングリボンが付加されたリボンカートリッジ８０を使用して、出力物に再度オーバーコーティング８１、８２を行える。
【００４０】
一方、前述の本発明の実施例は、コンピュータで読み取り可能なコード／命令／プログラムで具現され、媒体、例えば、コンピュータで読み取り可能な記録媒体を利用して、前記コード／命令／プログラムを動作させる汎用のデジタルコンピュータで具現されうる。
【００４１】
前記コンピュータで読み取り可能な記録媒体は、マグネチック記録媒体（例えば、ＲＯＭ、フロッピー（登録商標）ディスク、ハードディスク、マグネチックテープなど）、光学的判読媒体（例えば、ＣＤ−ＲＯＭ、ＤＶＤなど）、及びキャリアウェーブ（例えば、インターネットを介した伝送）のような記録媒体を含む。また、本発明の実施例は、コンピュータで読み取り可能なコードを内蔵する媒体として具現されて、ネットワークに連結された複数のコンピュータシステムが分配されて処理動作できる。
【００４２】
本発明を実現する機能的なプログラム、コード及びコードセグメントは、当業界のプログラマーによって容易に推論されうる。
【００４３】
以下、添付された図面を参照して、本発明による装置を詳細に説明する。
図９は、本発明によるリボンカートリッジを使用した画像形成装置６００を説明するための一実施例のブロック図であって、ユーザインタフェース部６２０及び印刷部６１０から構成される。
【００４４】
ユーザインタフェース部６２０は、リボンカートリッジに備えられたオーバーコーティングリボンの種類を選択できるユーザインタフェースの画面をディスプレイする。
【００４５】
ユーザインタフェース部６２０は、フォトプリンタに備えられることによって、ユーザインタフェースの画面をフォトプリンタのディスプレイ画面にディスプレイできる。一方、ユーザインタフェース部６２０は、ホストコンピュータに備えられることによって、ユーザインタフェースの画面をホストコンピュータのディスプレイ画面にディスプレイしてもよい。
【００４６】
ユーザは、ディスプレイされたインタフェース画面を通じて、自身の所望するオーバーコーティングリボンを選択できる。
【００４７】
リボンカートリッジは、一般のオーバーコーティングリボン以外に、特殊オーバーコーティングリボンを備えることを特徴とする。図２に示すように、リボンカートリッジ２０が、一般のオーバーコーティングリボン２１以外に特殊オーバーコーティングリボン２２を備えることを特徴とする。特に、特殊オーバーコーティングリボンとして、無光沢のリボン及び多様な形状が表示されたリボンのうち、何れか一つ以上を備えることを特徴とする。
【００４８】
印刷部６１０は、リボンカートリッジに備えられた各色のリボンを使用して、画像を印刷用紙に印刷し、印刷の行われた印刷用紙を、選択されたオーバーコーティングリボンを使用してオーバーコーティングする。
【００４９】
印刷部６１０は、各色のリボンのうち、イエローリボンを使用して、画像を印刷用紙に印刷し、マゼンタリボンを使用して、画像を前記印刷用紙に印刷し、シアンリボンを使用して、画像を印刷用紙に印刷する。
【００５０】
一方、ユーザが、図２に示す特殊オーバーコーティングリボン２２を選択したならば、印刷部６１０は、画像印刷の行われた印刷用紙を、選択された特殊オーバーコーティングリボン２２を使用してオーバーコーティングする。特殊オーバーコーティングリボンによリオーバーコーティングされた印刷用紙が出力されることによって、画像にューザの所望する多様な形状が付加された出力物を得ることができる。
【００５１】
図１０は、本発明によるリボンカートリッジを使用した画像形成装置を説明するためのさらに他の一実施例のブロック図であって、印刷部７００から構成される。
【００５２】
印刷部７００は、リボンカートリッジに備えられた各色のリボンを使用して、画像を印刷用紙に印刷し、リボンカートリッジに備えられた特殊オーバーコーティングリボンを使用して、印刷の行われた印刷用紙をオーバーコーティングする。
【００５３】
印刷部７００は、各色のリボンのうち、イエローリボンを使用して、画像を印刷用紙に印刷し、マゼンタリボンを使用して、画像を前記印刷用紙に印刷し、シアンリボンを使用して、画像を前記印刷用紙に印刷することを特徴とする。
【００５４】
特殊オーバーコーティングリボンは、無光沢のリボン及び多様な形状が表示されたリボンのうち、何れか一つ以上を備えることを特徴とする。
【００５５】
図５Ｂに示すように、リボンカートリッジ５０は、一般のオーバーコーティングリボン５２ではない特殊オーバーコーティングリボン５１を備えることを特徴とする。特殊オーバーコーティングリボンは、透明なオーバーコーティングリボンに特別な形状が付加されたリボンである。特殊のオーバーコーティングリボン５１は、無光沢のオーバーコーティングリボンである。
【００５６】
図１１は、本発明によるリボンカートリッジを使用した画像形成装置を説明するためのさらに他の一実施例のブロック図であって、印刷部８００から構成される。
【００５７】
印刷部８００は、リボンカートリッジに備えられた特殊オーバーコーティングリボンを使用して、以前に印刷の行われた印刷用紙を再度オーバーコーティングする。
【００５８】
以前に既にオーバーコーティングされて出力された印刷用紙に対して、特殊オーバーコーティングリボンを使用して再度オーバーコーティングすることによって、多様なイメージの付加された出力物を得ることができる。そのために使用される特殊オーバーコーティングリボンとして、無光沢のリボン及び多様な形状が表示されたリボンのうち、何れか一つ以上を備えるリボンを使用することを特徴とする。図８Ａ及び図８Ｂに示すように、図１１を行うためのリボンカートリッジは、色リボンは備えず、特殊オーバーコーティングリボンのみ８１、８２を備えている。このようなリボンは、既に画像を形成して出力された出力物にオーバーコーティングのみを行うためのリボンである。
【００５９】
ユーザが、既に印刷の行われた出力物を再びフォトプリンタに挿入すれば、印刷部８００は、前述の図８Ａ及び図８Ｂのような特殊オーバーコーティングリボ８１、８２ンの付加されたリボンカートリッジ８０を使用して、出力物に再度オーバーコーティングを行う。
【００６０】
このような本発明のリボンカートリッジを使用した画像形成方法及び装置は、理解を容易にするために、図面に示す実施例を参考として説明されたが、これは、例示的なものに過ぎず、当業者ならば、これから多様な変形及び均等な他の実施例が可能であるという点が理解できるであろう。したがって、本発明の真の技術的保護範囲は、特許請求の範囲により決まらねばならない。
【産業上の利用可能性】
【００６１】
本発明は、Ｄ２Ｔ２方式のフオトプリンタに使用できる発明であって、印刷用紙に多様な形状のイメージが挿入されて出力されることを所望するユーザの好みに合わせて刷り物を出力することができ、文具用の刷り物や広告物の出力に使用できる。
【図面の簡単な説明】
【００６２】
【図１】本発明によるリボンカートリッジを使用した画像形成方法を説明するための一実施例を示すフローチャートである。
【図２】図１に示すリボンカートリッジを使用した画像形成方法を説明するためのリボンの一例を示す説明図である。
【図３】図１に示すステップ１０２を説明するための一実施例を示すフローチャートである。
【図４】本発明によるリボンカートリッジを使用した画像形成方法を説明するためのさらに他の一実施例を示すフローチャートである。
【図５Ａ】図４に示すリボンカートリッジを使用した画像形成方法を説明するためのリボンの一例を示す説明図である。
【図５Ｂ】図４に示すリボンカートリッジを使用した画像形成方法を説明するためのリボンの一例を示す説明図である。
【図６】図４に示すステップ３００を説明するための一実施例を示すフローチャートである。
【図７】本発明によるリボンカートリッジを使用した画像形成方法を説明するためのさらに他の一実施例を示すフローチャートである。
【図８Ａ】図７に示すリボンカートリッジを使用した画像形成方法を説明するためのリボンの一例を示す説明図である。
【図８Ｂ】図７に示すリボンカートリッジを使用した画像形成方法を説明するためのリボンの一例を示す説明図である。
【図９】本発明によるリボンカートリッジを使用した画像形成装置を説明するための一実施例を示すブロック図である。
【図１０】本発明によるリボンカートリッジを使用した画像形成装置を説明するためのさらに他の一実施例を示すブロック図である。
【図１１】本発明によるリボンカートリッジを使用した画像形成装置を説明するためのさらに他の一実施例を示すブロック図である。
【符号の説明】
【００６３】
６００  画像形成装置
６１０  印刷部
６２０  ユーザインタフェース部
７００  印刷部
８００  印刷部
【図１】
2007083724.tif 000003
【図２】
2007083724.tif 000004
【図３】
2007083724.tif 000005
【図４】
2007083724.tif 000006
【図５Ａ】
2007083724.tif 000007
【図５Ｂ】
2007083724.tif 000008
【図６】
2007083724.tif 000009
【図７】
2007083724.tif 000010
【図８Ａ】
2007083724.tif 000011
【図８Ｂ】
2007083724.tif 000012
【図９】
2007083724.tif 000013
【図１０】
2007083724.tif 000014
【図１１】
2007083724.tif 000015